(57)【要約】【課題】簡単な構成でありながら、結束対象を結束した状態で固定部に固定することができ、結束対象を結束するときの作業性が良好な結束具を得る。【解決手段】剛体からなる掛け止め部と、この掛け止め部から伸び出た結束線を備え、結束線は可塑性を有している。掛け止め部と結束線は樹脂によって一体に形成するとともに結束線の部分に可塑性を有する線材をインサート成形するとよい。結束線は掛け止め部から対をなして伸び出ているとよい。掛け止め部はＵ字状とし、Ｕ字の両端からそれぞれ結束線を伸び出させてもよい。【選択図】図１
2009286415.tif 000002
【特許請求の範囲】
【請求項１】
剛体からなる掛け止め部と、この掛け止め部から伸び出た結束線を備え、結束線は可塑性を有していることを特徴とする結束具。
【請求項２】
掛け止め部は、リング状またはＵ字状である請求項１記載の結束具。
【請求項３】
掛け止め部と結束線は樹脂によって一体に形成されるとともに結束線の部分に可塑性を有する線材がインサート成形されている請求項１記載の結束具。
【請求項４】
結束線は掛け止め部から対をなして伸び出ている請求項１記載の結束具。
【請求項５】
掛け止め部はＵ字状であり、Ｕ字の両端からそれぞれ結束線が対をなして伸び出ている請求項４記載の結束具。
【発明の詳細な説明】
【技術分野】
【０００１】
本発明は、結束対象を結束するとともにこれを所定の位置に保持することができる結束具に関するものである。
【背景技術】
【０００２】
複数の対象物を束ねる、連結する、あるいは対象物を引っ掛けて所定の位置に保持する、といった用途に、結束バンド、連結フックなどが用いられている。最も簡易な結束具は、可塑性を持たせた線材のみからなるものである。一般的には、可塑性を持った線材を心材とする樹脂製の細長い線状になっていて、例えば、コードやケーブル類を束ねてその周囲に巻き付け、両端部を互いにねじり合うことによって上記コードやケーブル類を結束するようになっている。しかし、このような結束具は、単に結束対象をまとめるだけであって、まとめた結束対象を所定位置に固定ないしは掛け止めることはできない。
【０００３】
本発明にかかる結束具に関連する技術として以下に述べる特許文献に開示されているものがある。特許文献１には、シート連結フックに関し、以下の二つのタイプが開示されている。一つは、隣接するシートの紐孔に、両端のＳ型の紐孔差込線を通し、両端の指掛けをねじまげることによりシート同士を連結するようにしたＳ型クリップである。もう一つは、リングを有していて、このリングの開口部より支柱のパイプに巻き付け、さらに、リングの指掛けに、隣り合う紐孔を差し込んだ後、指掛けをねじ曲げることにより、隣接するシートの紐孔が連結されて支柱にシートを固定できるようにしたリング型のフックである。
【０００４】
特許文献２には、スポンジたわしのような柔軟性を持った洗浄器具を結束し剛性を出して使い易くするための洗浄器用結束バンドが記載されている。具体的には、長尺のバンド部の一端部に、Ｖ字とＩ字の組み合わせにより形成されるＹ字形罫線を設け、Ｉ字形罫線部とＶ字形罫線部の接点を通りＩ字形罫線部分と直交する補助罫線部分を設け、上記Ｉ字形罫線部分の両側に対称形にフック用リング部を設け、バンドの他端部にはバンドの長手方向に上記リング部を差し込んで係合可能なスリット部を設けたものである。上記Ｙ字形罫線に沿って上記バンドの一端部を折り曲げることにより上記一対のフック用リング部を重ね合わせ、この重なり合ったフック用リング部を上記スリット部に嵌めかつ係合させることにより、柔軟性を持った洗浄器具を締め付けて剛性を持たせることができる。
【０００５】
【特許文献１】特開２００２−２７６１６１号公報
【特許文献２】特開２００４−９９０５２号公報
【発明の開示】
【発明が解決しようとする課題】
【０００６】
特許文献１、特許文献２に記載されているような従来の結束具は、隣り合う二つの部材を連結するもの、または柔軟性のある一つの部材を締め付けて剛性を持たせるものであり、締結具自体が所定の位置に動くことなく保持されるものではない。しかし、用途によっては、対象物を結束した状態で対象物がむやみに動かないように、結束具を所定の位置に規制することができる結束具が望まれることがある。例えば、建築現場などにおいて、固定した枠に金網を取り付ける場合などに、金網の外側部を結束具によって固定枠に結束している。この結束具が、前記のような単純な構成の結束線のみからなるとすれば、金網などの締結対象を強固にかつ安定に結束することができない。特許文献１や特許文献２に記載されている類の結束具も、結束具自体が強固な部材、例えば上記固定枠などに固定されるものではないから結束対象を強固にかつ安定に結束することができない。
【０００７】
結束対象を上記固定枠のような部材に強固にかつ安定に固定するためには、ボルトとナットからなる締結部材、さらにはボルトとナットの間に介在して結束対象を狭持する部材を介在させる必要がある。したがって、ボルトとナットからなる締結部材、さらには教示部材を用いて対象物を結束し位置を規制する従来の結束具によれば、高コストの部品からなり、また、結束対象を結束するとき狭持部材にボルトを挿入する工程、ボルトとナットの締め付け工程などが必要で、施工が面倒であるという難点があった。
【０００８】
本発明は、このような従来の結束具に見られる問題点を解消すること、すなわち、簡単な構成でありながら、結束対象を結束した状態で固定部に固定することができ、また、結束対象を結束するときの作業性が良好な結束具を提供することを目的とする。
【課題を解決するための手段】
【０００９】
本発明は、剛体からなる掛け止め部と、この掛け止め部から伸び出た結束線を備え、結束線は可塑性を有していることを最も主要な特徴とする。
掛け止め部は、リング状またはＵ字状とすることができる。
【発明の効果】
【００１０】
結束線によって検束対象を結束することができる。結束対象を結束した状態で掛け止め部を固定部に固定し、あるいは掛け止め部を固定部に固定した状態で検束対象を結束することにより、結束対象を結束具とともに動きを規制した状態で保持ないしは固定することができる。
結束線で結束対象を束ね、結束線をねじるだけで結束することができるため、結束現場での作業性が良好である。
掛け止め部と結束線からなる簡単な構成であり、低コストで結束具を提供することができる。
【発明を実施するための最良の形態】
【００１１】
以下、本発明にかかる結束具の実施例について図面を参照しながら、また、実施例ごとに説明し、使用例についても説明する。
【実施例１】
【００１２】
図１は第１の実施例を示す。図１に示す結束具は、リング状の掛け止め部１とこの掛け止め部１から伸び出た結束線２を備えてなる。掛け止め部１は剛体からなり、結束線２は可塑性を有している。掛け止め部１の素材は金属であってもよいし樹脂であってもよい。図１に示す実施例における結束線２は、図２に示すように、可塑性を有する心材３、例えば金属線からなる心材３を有し、その周りを樹脂で覆った構造のものを用いることができる。このような結束線は、例えば電気製品のコード類が折り返した状態でばらばらにならないように結束するときに用いられている結束線と同じ構造のものでよい。本発明の上記実施例は、上記のような従来知られている単なる線状の結束線からなるものではなく、結束線２を剛体からなる掛け止め部１と一体に設けたことを特徴とする。
【００１３】
また、図１に示す実施例では、２本の結束線２を一対とし、各結束線２の一端を掛け止め部１に固定し、これを掛け止め部１から伸び出させている。図１に示す実施例では、２本の結束線２が掛け止め部１の互いに反対側の外側面すなわち対蹠位置から同一直線上に位置するように伸び出ている。したがって、２本の結束線２は互いに角度１８０度をなして伸び出ている。ただし、対をなす２本の結束線２のなす角度は１８０度に限られるものではなく、それ以外の鈍角あるいは鋭角をなしていてもよい。また、２本の結束線２を同一方向に、すなわち互いに平行に伸び出させてもよい。各種角度のものを用意することによって各種の用途に適合したものを使い分けることができる。
【００１４】
図５は、上記第１実施例にかかる結束具の使用例を示す。この使用例は、例えば金網８を壁７に取り付けるときの使用例である。金網８は複数の細い線材を絡み合わせて網状にしたもので、図５に示す例では、金網の周囲に金網の枠をなす枠線９を備えている。壁７には、上記実施例にかかる結束具のリング状の掛け止め部１の孔に通された締結具としてのねじ６がねじ込まれ、上記掛け止め部１が壁７に固定されている。金網８の上記枠線９は壁７に沿って伸びていて、結束具の一対の結束線２を塑性変形させながら上記枠線９の両側に通し、一対の結束線２を互いにねじり合わせることにより、枠線９を抱え込むようにして保持する。金網８の横幅に応じた数の結束具で枠線９を保持することにより、金網８を安定に保持することができる。金網によっては外縁に枠線９を有しないものもあるが、その場合は金網の上端部を上記のようにして結束具で保持することができる。保持する対象は、金網に限らない。例えば外縁部に孔を有するシートの上記孔に、上記実施例にかかる結束具の結束線２を通し、一対の結束線２同志をねじり合わせてシートに結束具を結合し、結束具の掛け止め部１を壁その他の固定部にねじなどで締結すればよい。
【００１５】
図６は、上記実施例に係る結束具の別の使用例を示す。上記実施例に係る結束具の掛け止め部１は、円形のリング状の部材であるため、掛け止め部１の孔を棒材１０に通し、棒材１０を壁などの不動部分に固定することにより、結束具を保持することができる。そして、結束具の上記実施例に係る結束具の結束線２で結束対象を両側から挟み込んで互いにねじり合わせることにより、結束対象を保持することができる。図６の例では結束対象が線状の部材１１になっているが、結束対象は線状の部材に限らず、結束線２で結束することができるものであればよい。
結束具は、その掛け止め部１の孔を、釘あるいはピンなどに掛け止めてもよい。
【００１６】
以上説明した第１の実施例によれば、剛体からなるリング状の掛け止め部１と、この掛け止め部１から伸び出た一対の可塑性を有する結束線２を備えた簡単な構成であるにもかかわらず、結束対象を、むやみに移動することのないよう安定に保持することができる。結束対象を保持するための作業は、結束線２をねじり合わせ、また、掛け止め部１をねじなどで締め付け、あるいは掛け止めるだけでよいから、取り付け作業性に優れている。
【００１７】
上記実施例における掛け止め部１は、完結したリング状のものに限らず、金属の素材からなるリング状の部材に半径方向の切込みを入れ、さらに、ねじることによって対向する切り口に段差を設けてなるスプリングワッシャとして機能するものであってもよい。こうすることにより、掛け止め部をねじで締め付けたとき、弛み止めの効果を得ることができる。
【実施例２】
【００１８】
図３は、本発明に係る結束具の第２の実施例を示す。この実施例が上記第１の実施例と異なる点は、結束線２が１本のみからなっていることである。
この第２の実施例にかかる結束具の使用方法は第１の実施例の使用方法と大きな変わりがなく、掛け止め部１をねじなどで固定し、１本の結束線２を結束対象に巻きつけ、１本の結束線２をねじり合わせることにより結束対象を保持する。
第２の実施例によれば、第１の実施例よりも構成が簡単になる利点がある。
【００１９】
なお、図３に示す第２の実施例において、結束線２ともう１本の結束線２とを隣合わせて、あるいは両面に重ね合わせて掛け止め部１から伸び出させてもよい。したがって、２本の結束線２が平行に伸び出ることになる。かかる構成の使用態様は、図５、図６に示す使用態様とほぼ同じである。
【実施例３】
【００２０】
図３は、本発明に係る結束具の第３の実施例を示す。この実施例の特徴は、掛け止め部がＵ字状（ないしは馬蹄形）に形成されていることである。Ｕ字状の掛け止め部５の両端からそれぞれ結束線２が対をなして伸び出ている。掛け止め部５は前述の実施例と同様に金属または樹脂などの剛体からなり、結束線２も前述の実施例と同様に、可塑性を有する心材３、例えば金属線からなる心材３を有し、その周りを樹脂で覆った構造になっている。
【００２１】
第３の実施例にかかる結束具の使用方法も前記各実施例にかかる結束具の使用方法と基本的には同じで、Ｕ字状の掛け止め部５を固定部にねじ止めまたは掛け止め、一対の結束線２を結束対象に巻きつけ、一対の結束線２同士をねじり合わせることにより、結束対象を所定の場所から動かないように安定に保持することができる。また、第３の実施例によれば、掛け止め部５がＵ字状であるため、既に張り渡されているワイヤや、固定されているフック、ねじなどに引っ掛けることができ、使用時の作業性が向上する利点がある。
【００２２】
以上説明した各実施例における結束線２は、例えば金属線からなる心材３を有し、その周りを樹脂で覆った構造になっている。この結束線の外皮の材質と掛け止め部１，５の材質を例えば樹脂とすれば、掛け止め部１と結束線２は樹脂によって一体に形成することができる。そして、この一体成形時に、結束線２の部分に可塑性を有する線材３をインサートして成形するとよい。こうすることにより、結束具を成形によって迅速に製造することができる。
【００２３】
掛け止め部と結束線との結合構造は、上記のような一体成形のほか、適宜の結合構造を選択することができる。例えば、掛け止め部と結束線がともに金属材料の場合、両者を溶着してもよい。また、結束線をその長さ方向中心位置で折り返し、この折り返し部を掛け止め部に引っ掛けて掛け止め部を挟み込み、溶着などの固着手段で両者を固着してもよい。
【図面の簡単な説明】
【００２４】
【図１】本発明にかかる結束具の第１の実施例を示す正面図である。
【図２】本発明にかかる結束具に用いることができる結束線の例を示す横断面図である。
【図３】本発明にかかる結束具の第２の実施例を示す正面図である。
【図４】本発明にかかる結束具の第３の実施例を示す正面図である。
【図５】上記第１の実施例の使用例を示す正面図である。
【図６】上記第１の実施例の別の使用例を示す正面図である。
【符号の説明】
【００２５】
１    掛け止め部
２    結束線
３    線材
５    掛け止め部
６    ねじ
【図１】
2009286415.tif 000003
【図２】
2009286415.tif 000004
【図３】
2009286415.tif 000005
【図４】
2009286415.tif 000006
【図５】
2009286415.tif 000007
【図６】
2009286415.tif 000008